(57)【要約】【課題】本発明は、据付作業性を向上させることを目的とするものである。【解決手段】パネル締結具２４は、小クリップ及び大クリップをリベットにより一体化して構成されている。第１の壁パネル２２１の第１の側面部２２１ａには、小クリップが挿入される複数の小クリップ挿入孔２２１ｂが設けられている。第２の壁パネル２２２の第２の側面部２２２ａには、大クリップが挿入される複数の大クリップ挿入孔２２２ｂが設けられている。大クリップは、大クリップ挿入孔２２２ｂへの挿入方向の先端から後端へ向けて間隔がテーパ状に拡がっている第２の板ばね部としての一対の第２の傾斜部を有している。【選択図】図３
2015151220.tif 000002
【特許請求の範囲】
【請求項１】
第１の側面部を有する第１の壁パネル、
前記第１の側面部に隣接する第２の側面部を有しており、前記第１の壁パネルに並べて配置されている第２の壁パネル、及び
前記第１の側面部に装着される第１の装着部と、前記第２の側面部に装着される第２の装着部とを有しており、前記第１の側面部と前記第２の側面部とを締結するパネル締結具
を備え、
前記第２の側面部には、前記第２の装着部が挿入される第２の装着部挿入孔が設けられており、
前記第２の装着部は、前記第２の装着部挿入孔への挿入時に弾性変形され、前記第２の装着部挿入孔への挿入後に復元して前記第２の装着部挿入孔からの抜けを阻止する第２の板ばね部を有しているエレベータのかご室。
【請求項２】
前記第２の装着部は、前記第２の板ばね部として、前記第２の装着部挿入孔への挿入方向の先端から後端へ向けて間隔がテーパ状に拡がっている一対の第２の傾斜部を有している請求項１記載のエレベータのかご室。
【請求項３】
前記第１の側面部には、前記第１の装着部が挿入される第１の装着部挿入孔が設けられており、
前記第１の装着部は、前記第１の装着部挿入孔への挿入時に弾性変形され、前記第１の装着部挿入孔への挿入後に復元して前記第１の装着部挿入孔からの抜けを阻止する第１の板ばね部を有している請求項１又は請求項２に記載のエレベータのかご室。
【請求項４】
前記第１の装着部は、前記第１の板ばね部として、前記第１の装着部挿入孔への挿入方向の先端から後端へ向けて間隔がテーパ状に拡がっている一対の第１の傾斜部を有している請求項３記載のエレベータのかご室。
【請求項５】
前記第１及び第２の装着部は、それぞれ平板状の部材を折り曲げ加工して構成されており、
前記パネル締結具は、前記第１及び第２の装着部を固定具により一体化して構成されている請求項３又は請求項４に記載のエレベータのかご室。
【請求項６】
第１の側面部を有する第１のパネル材と、第２の側面部を有する第２のパネル材とを締結するパネル締結具であって、
前記第１の側面部に設けられた第１の装着部挿入孔に挿入される第１の装着部と、
前記第２の側面部に設けられた第２の装着部挿入孔に挿入される第２の装着部と
を備え、
前記第１の装着部は、前記第１の装着部挿入孔への挿入時に弾性変形され、前記第１の装着部挿入孔への挿入後に復元して前記第１の装着部挿入孔からの抜けを阻止する第１の板ばね部を有しており、
前記第２の装着部は、前記第２の装着部挿入孔への挿入時に弾性変形され、前記第２の装着部挿入孔への挿入後に復元して前記第２の装着部挿入孔からの抜けを阻止する第２の板ばね部を有しているパネル締結具。
【請求項７】
前記第１の装着部は、前記第１の板ばね部として、前記第１の装着部挿入孔への挿入方向の先端から後端へ向けて間隔がテーパ状に拡がっている一対の第１の傾斜部を有しており、
前記第２の装着部は、前記第２の板ばね部として、前記第２の装着部挿入孔への挿入方向の先端から後端へ向けて間隔がテーパ状に拡がっている一対の第２の傾斜部を有している請求項６記載のパネル締結具。
【請求項８】
前記第１及び第２の装着部は、それぞれ平板状の部材を折り曲げ加工して構成されており、
前記第１及び第２の装着部を一体化する固定具をさらに備えている請求項６又は請求項７に記載のパネル締結具。
【発明の詳細な説明】
【技術分野】
【０００１】
この発明は、複数の壁パネルが並べて配置されているエレベータのかご室、及び第１のパネル材と第２のパネル材とを締結するパネル締結具に関するものである。
【背景技術】
【０００２】
従来のエレベータのかごパネルでは、第１のパネル材の側面に第１の突起部材と第２の係合孔とが設けられており、第２のパネル材の側面に第２の突起部材と第２の係合孔とが設けられている。そして、第１のパネル材に対して第２のパネル材を上方へずらした状態で、第１の突起部材を第２の係合孔に挿入するとともに、第２の突起部材を第１の係合孔に挿入する。そして、第２のパネル材を第１のパネル材と同じ高さまで下げることにより、第１のパネル材と第２のパネル材とが連結される（例えば、特許文献１参照）。
【０００３】
また、従来のエレベータかごでは、第１の側板に目地と係合片とが取り付けられており、第２の側板に設けられた係合部分が目地と係合片との間に嵌り込むようになっている。また、第２の側板の係合部分とは異なる高さの位置に、係止突片が取り付けられている。係止突片は、目地に設けられた係止凹部に入り込むようになっている（例えば、特許文献２参照）。
【先行技術文献】
【特許文献】
【０００４】
【特許文献１】特開平８−３１０７７３号公報
【特許文献２】特開平１−２４２３８７号公報
【発明の概要】
【発明が解決しようとする課題】
【０００５】
特許文献１に示された従来のかごパネルでは、第１及び第２のパネル材の締結時に、狭い昇降路スペースで、重量物である第２のパネル材を持ち上げる必要があるため、据付作業性に問題がある。
【０００６】
また、特許文献２に示された従来のエレベータかごでは、側板をその意匠面側から押して締結するため、側板を昇降路へ倒れないように保持しておく必要があり、据付作業性に問題がある。また、側板が昇降路へ落下する恐れもある。
【０００７】
この発明は、上記のような課題を解決するためになされたものであり、据付作業性を向上させることができるエレベータのかご室及びパネル締結具を得ることを目的とする。
【課題を解決するための手段】
【０００８】
この発明に係るエレベータのかご室は、第１の側面部を有する第１の壁パネル、第１の側面部に隣接する第２の側面部を有しており、第１の壁パネルに並べて配置されている第２の壁パネル、及び第１の側面部に装着される第１の装着部と、第２の側面部に装着される第２の装着部とを有しており、第１の側面部と前記第２の側面部とを締結するパネル締結具を備え、第２の側面部には、第２の装着部が挿入される第２の装着部挿入孔が設けられており、第２の装着部は、第２の装着部挿入孔への挿入時に弾性変形され、第２の装着部挿入孔への挿入後に復元して第２の装着部挿入孔からの抜けを阻止する第２の板ばね部を有している。
【発明の効果】
【０００９】
この発明のエレベータのかご室は、第２の壁パネルの第２の側面部に第２の装着部挿入孔が設けられており、パネル締結具には第２の装着部挿入孔に挿入される第２の装着部が設けられており、第２の装着部には、第２の装着部挿入孔への挿入時に弾性変形され、第２の装着部挿入孔への挿入後に復元して第２の装着部挿入孔からの抜けを阻止する第２の板ばね部が設けられているので、第１及び第２の壁パネルを容易に締結することができ、据付作業性を向上させることができる。
【図面の簡単な説明】
【００１０】
【図１】この発明の実施の形態１によるエレベータ装置を示す側面図である。
【図２】図１のかご室を示す斜視図である。
【図３】図２の壁パネルの締結前の状態を示す斜視図である。
【図４】図３のパネル締結具を拡大して示す側面図である。
【図５】図３の第１及び第２の壁パネルを締結した状態のパネル締結具の断面図である。
【図６】図５の小クリップを第１の側面部から取り外す途中の状態を示す断面図である。
【図７】この発明の実施の形態２によるエレベータのかご室の要部を示す斜視図である。
【発明を実施するための形態】
【００１１】
以下、この発明を実施するための形態について、図面を参照して説明する。
実施の形態１．
図１はこの発明の実施の形態１によるエレベータ装置を示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１２】
機械台３には、そらせ車７が取り付けられている。駆動シーブ５及びそらせ車７には、懸架手段８が巻き掛けられている。懸架手段８としては、例えば、複数本のロープ又は複数本のベルトが用いられている。
【００１３】
懸架手段８の第１の端部には、かご９が接続されている。懸架手段８の第２の端部には、釣合おもり１０が接続されている。かご９及び釣合おもり１０は、懸架手段８により昇降路１内に吊り下げられており、巻上機４の駆動力により昇降路１内を昇降する。
【００１４】
昇降路１内には、かご９の昇降を案内する一対のかごガイドレール１１と、釣合おもり１０の昇降を案内する一対の釣合おもりガイドレール１２とが設置されている。
【００１５】
かご９は、懸架手段８が接続されたかご枠１３と、かご枠１３に支持されているかご室１４とを有している。
【００１６】
図２は図１のかご室１４を示す斜視図である。かご室１４は、かご床２１と、かご床２１上に並べて立てられているパネル材としての複数の壁パネル２２と、壁パネル２２上に固定されているかご室天井２３とを有している。
【００１７】
隣り合う壁パネル２２は、複数のパネル締結具２４により互いに締結されている。パネル締結具２４は、上下方向に互いに間隔をおいて配置されている。各壁パネル２２の下端部には、断面コ字形の下部補強金具２５が固定されている。各壁パネル２２の上端部には、断面コ字形の上部補強金具２６が固定されている。
【００１８】
壁パネル２２は、下部補強金具２５に設けられた複数の孔２５ａにそれぞれねじを挿入して、かご床２１に固定されている。また、壁パネル２２は、上部補強金具２６に設けられた複数の孔２６ａ（図３）にそれぞれねじを挿入してかご室天井２３に固定されている。
【００１９】
図３は図２の壁パネル２２の締結前の状態を示す斜視図、図４は図３のパネル締結具２４を拡大して示す側面図である。ここでは、左右に隣り合う２枚の壁パネル２２のうち、いずれか一方を第１の壁パネル（第１のパネル材）２２１、他方を第２の壁パネル（第２のパネル材）２２２とする。
【００２０】
また、各壁パネル２２は、かご室１４内に臨む正面部と、正面部の幅方向両端部を直角に折り曲げてなる一対の側面部とを有している。そして、第１の壁パネル２２１の第２の壁パネル２２２側の側面部を第１の側面部２２１ａ、第２の壁パネル２２２の第１の壁パネル２２１側の側面部を第２の側面部２２２ａとする。
【００２１】
パネル締結具２４は、第１の側面部２２１ａと第２の側面部２２２ａとを締結している。また、パネル締結具２４は、第１の側面部２２１ａに装着される第１の装着部としての小クリップ３１と、第２の側面部２２２ａに装着される第２の装着部としての大クリップ３２と、小クリップ３１と大クリップ３２とを一体化する固定具としてのリベット３３とを有している。
【００２２】
小クリップ３１及び大クリップ３２は、それぞれ平板状（帯状）の金属部材をＷ字状に折り曲げ加工して構成されている。各パネル締結具２４は、小クリップ３１及び大クリップ３２をリベット３３により一体化して構成されている。
【００２３】
第１の側面部２２１ａには、小クリップ３１が挿入される第１の装着部挿入孔としての複数の小クリップ挿入孔２２１ｂが設けられている。第２の側面部２２２ａには、大クリップ３２が挿入される第２の装着部挿入孔としての複数の大クリップ挿入孔２２２ｂが設けられている。
【００２４】
小クリップ３１は、断面コ字形の第１の固定部３１ａと、小クリップ挿入孔２２１ｂへの挿入方向の先端から後端へ向けて間隔がテーパ状に拡がっている第１の板ばね部としての一対の第１の傾斜部３１ｂ，３１ｃとを有している。第１の傾斜部３１ｂ，３１ｃは、小クリップ挿入孔２２１ｂへの挿入時に弾性変形されて小クリップ挿入孔２２１ｂの通過を許容し、小クリップ挿入孔２２１ｂへの挿入後に復元してパネル締結具２４の小クリップ挿入孔２２１ｂからの抜けを阻止する。
【００２５】
大クリップ３２は、断面コ字形の第２の固定部３２ａと、大クリップ挿入孔２２２ｂへの挿入方向の先端から後端へ向けて間隔がテーパ状に拡がっている第２の板ばね部としての一対の第２の傾斜部３２ｂ，３２ｃとを有している。第２の傾斜部３２ｂ，３２ｃは、大クリップ挿入孔２２２ｂへの挿入時に弾性変形されて大クリップ挿入孔２２２ｂの通過を許容し、大クリップ挿入孔２２２ｂへの挿入後に復元してパネル締結具２４の大クリップ挿入孔２２２ｂからの抜けを阻止する。
【００２６】
第１の壁パネル２２１と第２の壁パネル２２２とを締結する場合、小クリップ３１を小クリップ挿入孔２２１ｂに挿入してパネル締結具２４を第１の側面部２２１ａに装着する。そして、第２の壁パネル２２２を幅方向へ移動させて、大クリップ３２を大クリップ挿入孔２２２ｂに挿入する。
【００２７】
図５は図３の第１及び第２の壁パネル２２１，２２２を締結した状態のパネル締結具２４の断面図である。締結する壁パネル２２１，２２２の板厚が変化しても、小クリップ３１及び大クリップ３２の弾性変形で吸収するため、同じパネル締結具２４を適用することができる。
【００２８】
図６は図５の小クリップ３１を第１の側面部２２１ａから取り外す途中の状態を示す断面図である。第１及び第２の壁パネル２２１，２２２の締結状態を解除する場合、第１の傾斜部３１ｂ，３１ｃを矢印Ａ，Ｂ方向へ圧縮して弾性変形させ、小クリップ３１を小クリップ挿入孔２２１ｂから矢印Ｃ方向へ引き抜く。
【００２９】
このようなエレベータのかご室１４では、第２の壁パネル２２２の第２の側面部２２２ａに大クリップ挿入孔２２２ｂが設けられており、パネル締結具２４には大クリップ挿入孔２２２ｂに挿入される大クリップ３２が設けられており、大クリップ３２には第２の傾斜部３２ｂ，３２ｃが設けられている。このため、第１及び第２の壁パネル２２１，２２２を幅方向へ移動させるだけで、工具不要でワンタッチで容易に締結することができ、据付作業性を向上させることができる。
【００３０】
また、パネル締結具２４の第１の側面部２２１ａへの装着も、工具不要でワンタッチで行うことができるので、据付作業性をさらに向上させることができる。
さらに、壁パネル２２を傷つけることなくパネル締結具２４の取り外しが可能であるため、意匠確認のための仮組等でもパネル締結具２４を使用することができる。
【００３１】
さらに、壁パネル２２を締結する際に壁パネル２２の裏に回る必要が無く、据付作業性がさらに向上する。
さらにまた、壁パネル２２の裏側に壁パネル２２締結作業のスペースを確保する必要がなくなるため、かご室１４の裏側のスペースを必要最小限にすることができ、エレベータの省スペース化を図ることができる。
【００３２】
また、パネル締結具２４は据付現場で容易に後付けすることができるため、工場からの出荷時にパネル締結具２４が壁パネル２２に突起物として追加されることがない。このため、輸送及び梱包方法の変更が不要であるとともに、輸送時の振動によりパネル締結具２４が変形するのが防止される。
【００３３】
なお、上記の例では、第１及び第２の装着部として小クリップ３１及び大クリップ３２を示したが、第１及び第２の装着部の大きさは同じであってもよい。
また、固定具は、リベット３３に限定されるものではなく、例えば溶接部であってもよい。
さらに、第１の板ばね部の形状は、第１の傾斜部３１ｂ，３１ｃに限定されるものではない。同様に、第２の板ばね部の形状も、第２の傾斜部３２ｂ，３２ｃに限定されるものではない。
【００３４】
実施の形態２．
次に、図７はこの発明の実施の形態２によるエレベータのかご室の要部を示す斜視図である。実施の形態２のパネル締結具２７は、実施の形態１と同様の大クリップ３２と、大クリップ３２を第１の側面部２２１ａに固定する第１の装着部としてのリベット３４とを有している。他の構成は、実施の形態１と同様である。
【００３５】
輸送及び梱包に影響ない製品の場合、図７に示すように、パネル締結具２７を予め第１の側面部２２１ａに固定して出荷してもよい。これにより、据付現場でパネル締結具２７を第１の壁パネル２２１に取り付ける作業を省略することができ、据付作業性がさらに向上する。
【００３６】
なお、実施の形態２において、第１の装着部はリベット３４に限定されるものではなく、例えばねじであってもよい。
また、実施の形態１、２において、２枚並んだ壁パネル２２の左右どちらを第１の壁パネルとしてもよい。
さらに、上記の例では、エレベータのかご室１４を示したが、この発明のパネル締結具は、エレベータ以外の製品にも適用可能である。
【符号の説明】
【００３７】
１４  かご室、２４，２７  パネル締結具、３１  小クリップ（第１の装着部）、３１ｂ，３１ｃ  第１の傾斜部（第１の板ばね部）、３２  大クリップ、３２ｂ，３２ｃ  第２の傾斜部（第２の板ばね部）、３３  リベット（固定具）、３４  リベット（第１の装着部）、２２１  第１の壁パネル（第１のパネル材）、２２１ａ  第１の側面部、２２１ｂ  小クリップ挿入孔（第１の装着部挿入孔）、２２２  第２の壁パネル（第２のパネル材）、２２２ａ  第２の側面部、２２２ｂ  大クリップ挿入孔（第２の装着部挿入孔）。
【図１】
2015151220.tif 000003
【図２】
2015151220.tif 000004
【図３】
2015151220.tif 000005
【図４】
2015151220.tif 000006
【図５】
2015151220.tif 000007
【図６】
2015151220.tif 000008
【図７】
2015151220.tif 000009